(57)【要約】【課題】透明性の高いスクリーンを対向する２つの面に備える映像表示装置を提供する。【解決手段】映像表示装置１は、透明性を有し、投射された映像光の一部を反射して表示する第１スクリーン１０と第２スクリーン２０とが映像を表示する表示面を対面させて、所定の距離を空けて配置され、第１映像源ＬＳ１及び第２映像源ＬＳ２は、第１スクリーン１０及び第２スクリーン２０よりも筐体内側であって各スクリーンの下方に配置されている。映像表示装置１では、第１スクリーン１０が表示する映像は、第２スクリーン２０を通して視認可能であり、第２スクリーン２０が表示する映像は、第１スクリーン１０を通して視認可能である。【選択図】図１
2018077323.tif 000002
【特許請求の範囲】
【請求項１】
透明性を有し、かつ、投射された映像光の一部を反射して表示する第１のスクリーンと、
前記第１のスクリーンに映像光を投射する第１の映像源と、
透明性を有し、かつ、投射された映像光の一部を反射して表示する第２のスクリーンと、
前記第２のスクリーンに映像光を投射する第２の映像源と、
を備える映像表示装置であって、
前記第１のスクリーンと前記第２のスクリーンとは、映像を表示する表示面を対面させて、所定の距離を空けて配置され、
前記第１の映像源及び前記第２の映像源は、前記第１のスクリーン及び前記第２のスクリーンよりも該映像表示装置の内側に配置され、
前記第１のスクリーンは、
光透過性を有し、映像光が入射する第１の面とこれに対向する第２の面とを有する第１単位光学形状が、厚み方向において前記第１の映像源が配置される映像源側とは反対側の背面側の面に複数配列された第１光学形状層と、
少なくとも前記第１単位光学形状の前記第１の面の一部に形成され、前記第１単位光学形状側の面が不規則な凹凸形状を有する粗面であり、入射した光の一部を反射し、入射したその他の光の少なくとも一部を透過する第１反射層と、
を備え、
前記第２のスクリーンは、
光透過性を有し、映像光が入射する第１の面とこれに対向する第２の面とを有する第２単位光学形状が、厚み方向において前記第２の映像源が配置される映像源側とは反対側の背面側の面に複数配列された第２光学形状層と、
少なくとも前記第２単位光学形状の前記第１の面の一部に形成され、前記第２単位光学形状側の面が不規則な凹凸形状を有する粗面であり、入射した光の一部を反射し、入射したその他の光の少なくとも一部を透過する第２反射層と、
を備え、
前記第１の映像源は、前記第１のスクリーンのスクリーン面の法線方向から見て、表示領域外に位置し、
前記第２の映像源は、前記第２のスクリーンのスクリーン面の法線方向から見て、表示領域外に位置し、
前記第１のスクリーンが表示面に表示する映像は、前記第２のスクリーンを通して視認可能であり、
前記第２のスクリーンが表示面に表示する映像は、前記第１のスクリーンを通して視認可能であること、
を特徴とする映像表示装置。
【請求項２】
請求項１に記載の映像表示装置において、
前記第１のスクリーンの前記第１光学形状層は、前記第１単位光学形状が複数配列されたフレネルレンズ形状を有し、
前記第２のスクリーンの前記第２光学形状層は、前記第２単位光学形状が複数配列されたフレネルレンズ形状を有すること、
を特徴とする映像表示装置。
【請求項３】
請求項１又は請求項２に記載の映像表示装置において、
前記第１のスクリーンは、光透過性を有し、前記第１光学形状層及び前記第１反射層よりも前記第１のスクリーンの背面側に、前記第１単位光学形状による凹凸の谷部を充填するように積層された第１樹脂層を備え、
前記第２のスクリーンは、光透過性を有し、前記第２光学形状層及び前記第２反射層よりも前記第２のスクリーンの背面側に、前記第２単位光学形状による凹凸の谷部を充填するように積層された第２樹脂層を備えること、
を特徴とする映像表示装置。
【請求項４】
請求項１から請求項３までのいずれか１項に記載の映像表示装置において、
前記第１のスクリーン及び前記第２のスクリーンは、光を拡散する作用を有する拡散粒子を含有する光拡散層を備えていないこと、
を特徴とする映像表示装置。
【発明の詳細な説明】
【技術分野】
【０００１】
本発明は、映像を表示する映像表示装置に関するものである。
【背景技術】
【０００２】
従来、映像源から投射された映像光を反射又は透過して表示するスクリーンや映像表示装置として、様々なものが開発されている（例えば、特許文献１参照）。なかでも、映像光を投射しない不使用時等に、スクリーンの向こう側の景色が透けて見える透明性を有するスクリーンやこれを用いた映像表示装置は、意匠性の高さ等の観点から需要が高まっている。
【先行技術文献】
【特許文献】
【０００３】
【特許文献１】特開平９−１１４００３号公報
【発明の概要】
【発明が解決しようとする課題】
【０００４】
しかし、このような透明性を有するスクリーンは、光を拡散する作用を有する拡散粒子等を含有する光拡散層を備えていると、スクリーンの向こう側の景色が白っぽくぼやけて観察される場合があり、意匠性の低下を招くため、透明性の向上が課題となっていた。また、各種スクリーンにおいて、薄型化や、コントラストの高い良好な映像を表示することは、常々求められることである。
また、透明性を有するスクリーンを用いた映像表示装置についても、様々なものが開発されている。例えば、筐体の表面側と裏面側といった対向する２つの画面で映像を表示でき、かつ、映像の非表示時等には画面が透明となって筐体の向こう側の景色が視認できるという機能を有する映像表示装置等も求められている。
【０００５】
上述の特許文献１には、透過型、反射型の両方に使用することができるスクリーンが提案されている。しかし、この特許文献１には、スクリーンの透明性の向上等に関する対策に関してはなんら開示されていない。また、特許文献１には、上述のような映像表示装置に関する対策も開示されていない。
【０００６】
本発明の課題は、透明性の高いスクリーンを対向する２つの面に備える映像表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、透明性を有し、かつ、投射された映像光の一部を反射して表示する第１のスクリーン（１０）と、前記第１のスクリーンに映像光を投射する第１の映像源（ＬＳ１）と、透明性を有し、かつ、投射された映像光の一部を反射して表示する第２のスクリーン（２０）と、前記第２のスクリーンに映像光を投射する第２の映像源（ＬＳ２）と、を備える映像表示装置であって、前記第１のスクリーンと前記第２のスクリーンとは、映像を表示する表示面を対面させて、所定の距離を空けて配置され、前記第１の映像源及び前記第２の映像源は、前記第１のスクリーン及び前記第２のスクリーンよりも該映像表示装置の内側に配置され、前記第１のスクリーンは、光透過性を有し、映像光が入射する第１の面（１２１ａ）とこれに対向する第２の面（１２１ｂ）とを有する第１単位光学形状（１２１）が、厚み方向において前記第１の映像源が配置される映像源側とは反対側の背面側の面に複数配列された第１光学形状層（１２）と、少なくとも前記第１単位光学形状の前記第１の面の一部に形成され、前記第１単位光学形状側の面が不規則な凹凸形状を有する粗面であり、入射した光の一部を反射し、入射したその他の光の少なくとも一部を透過する第１反射層（１３）と、を備え、前記第２のスクリーンは、光透過性を有し、映像光が入射する第１の面（２２１ａ）とこれに対向する第２の面（２２１ｂ）とを有する第２単位光学形状（２２１）が、厚み方向において前記第２の映像源が配置される映像源側とは反対側の背面側の面に複数配列された第２光学形状層（２２）と、少なくとも前記第２単位光学形状の前記第１の面の一部に形成され、前記第２単位光学形状側の面が不規則な凹凸形状を有する粗面であり、入射した光の一部を反射し、入射したその他の光の少なくとも一部を透過する第２反射層（２３）と、を備え、前記第１の映像源は、前記第１のスクリーンのスクリーン面の法線方向から見て、表示領域外に位置し、前記第２の映像源は、前記第２のスクリーンのスクリーン面の法線方向から見て、表示領域外に位置し、前記第１のスクリーンが表示面に表示する映像は、前記第２のスクリーンを通して視認可能であり、前記第２のスクリーンが表示面に表示する映像は、前記第１のスクリーンを通して視認可能であること、を特徴とする映像表示装置（１）である。
請求項２の発明は、請求項１に記載の映像表示装置において、前記第１のスクリーン（１０）の前記第１光学形状層（１２）は、前記第１単位光学形状（１２１）が複数配列されたフレネルレンズ形状を有し、前記第２のスクリーン（２０）の前記第２光学形状層（２２）は、前記第２単位光学形状（２２１）が複数配列されたフレネルレンズ形状を有すること、を特徴とする映像表示装置（１）である。
請求項３の発明は、請求項１又は請求項２に記載の映像表示装置において、前記第１のスクリーン（１０）は、光透過性を有し、前記第１光学形状層（１２）及び前記第１反射層（１３）よりも前記第１のスクリーンの背面側に、前記第１単位光学形状（１２１）による凹凸の谷部を充填するように積層された第１樹脂層を備え、前記第２のスクリーンは、光透過性を有し、前記第２光学形状層（２２）及び前記第２反射層（２３）よりも前記第２のスクリーンの背面側に、前記第２単位光学形状（２２１）による凹凸の谷部を充填するように積層された第２樹脂層を備えること、を特徴とする映像表示装置（１）である。
請求項４の発明は、請求項１から請求項３までのいずれか１項に記載の映像表示装置において、前記第１のスクリーン（１０）及び前記第２のスクリーン（２０）は、光を拡散する作用を有する拡散粒子を含有する光拡散層を備えていないこと、を特徴とする映像表示装置（１）である。
【発明の効果】
【０００８】
本発明によれば、透明性の高いスクリーンを対向する２つの面に備える映像表示装置を提供することができる。
【図面の簡単な説明】
【０００９】
【図１】実施形態の映像表示装置１を示す図である。
【図２】実施形態の第１スクリーン１０の層構成を説明する図である。
【図３】実施形態の第１スクリーン１０の光学形状層１２を説明する図である。
【図４】実施形態の第２スクリーン２０の層構成を説明する図である。
【図５】実施形態の第２スクリーン２０の光学形状層２２を説明する図である。
【図６】実施形態の映像表示装置１での映像光及び外光の様子を示す図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、記載する各部材の寸法等の数値及び材料名等は、実施形態としての一例であり、これに限定されるものではなく、適宜選択して使用してよい。
【００１１】
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１２】
（実施形態）
図１は、本実施形態の映像表示装置１を示す図である。図１では、映像表示装置１を側面から見た様子を模式的に示している。
映像表示装置１は、第１スクリーン１０、第２スクリーン２０、第１映像源ＬＳ１、第２映像源ＬＳ２、筐体３０等を有している。この映像表示装置１は、筐体３０の対向する２つの面に設けられた第１スクリーン１０及び第２スクリーン２０にそれぞれ映像を表示する。
本実施形態の映像表示装置１は、屋内等に配置される宣伝用等の映像表示装置である例を挙げて説明する。
【００１３】
ここで、理解を容易にするために、図１を含め以下に示す各図において、適宜、ＸＹＺ直交座標系を設けて示している。この座標系では、映像表示装置１の厚み方向（奥行き方向）をＺ方向とし、第１スクリーン１０及び第２スクリーン２０の画面左右方向をＸ方向、画面上下方向をＹ方向とする。第１スクリーン１０及び第２スクリーン２０の画面（スクリーン面）は、ＸＹ面に平行であり、第１スクリーン１０及び第２スクリーン２０の厚み方向は、映像表示装置１の厚み方向（Ｚ方向）に平行であり、第１スクリーン１０及び第２スクリーン２０の画面に直交する。
また、第１スクリーン１０の映像源側（第２スクリーン２０の背面側）の正面方向に位置する観察者Ｏ１から見て、画面左右方向の右側に向かう方向を＋Ｘ方向、画面上下方向の上側に向かう方向を＋Ｙ方向とする。また、映像表示装置１の厚み方向において、第１スクリーン１０側から第２スクリーン２０側へ向かう方向を＋Ｚ方向とする。
さらに、以下の説明中において、画面上下方向、画面左右方向、厚み方向とは、特に断りが無い場合、第１スクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１４】
筐体３０は、映像表示装置１の外形をなし、第１スクリーン１０及び第２スクリーン２０を支持し、その内部の所定の位置に第１映像源ＬＳ１及び第２映像源ＬＳ２を配置可能である。本実施形態の筐体３０は、内側が中空となっている角筒状であり、ＸＺ平面に平行な断面が四角形状である。また、筐体３０は、Ｚ方向に対向する２つの開口部を有し、その開口部に第１スクリーン１０及び第２スクリーン２０が配置されている。筐体３０の鉛直方向上側は閉塞されており、外光等は入らない形態となっている。
筐体３０は、その内側が黒色等の光吸収性を有する、もしくは、反射率が小さいことが、不要な迷光を抑制する観点から好ましい。
【００１５】
第１映像源ＬＳ１は、映像光Ｌ１を第１スクリーン１０へ投射する映像投射装置（プロジェクタ）である。また、第２映像源ＬＳ２は、映像光Ｌ２を第２スクリーン２０へ投射する映像投射装置（プロジェクタ）である。本実施形態の第１映像源ＬＳ１及び第２映像源ＬＳ２は、短焦点型のプロジェクタである。
第１映像源ＬＳ１は、映像表示装置１の使用状態において、第１スクリーン１０の画面（表示領域）をＺ方向（スクリーン面の法線方向）から見た場合に、第１スクリーン１０の画面左右方向（Ｘ方向）の中央であって、第１スクリーン１０の画面よりも下方側（−Ｙ側）に位置している。
【００１６】
また、第２映像源ＬＳ２は、映像表示装置１の使用状態において、第２スクリーン２０の画面（表示領域）をＺ方向（スクリーン面の法線方向）から見た場合に、第２スクリーン２０の画面左右方向（Ｘ方向）の中央であって、第２スクリーン２０の画面よりも下方側（−Ｙ側）に位置している。
本実施形態では、第１スクリーン１０及び第１映像源ＬＳ１と、第２スクリーン２０及び第２映像源ＬＳ２とは、この映像表示装置１の厚み方向（Ｚ方向）の中心を通りＸＹ平面に平行な面に対して対称な位置にある。したがって、映像表示装置１をＺ方向から見たときに、第１映像源ＬＳ１及び第２映像源ＬＳ２の位置が一致している。
【００１７】
従来の汎用プロジェクタに比べて、第１映像源ＬＳ１及び第２映像源ＬＳ２は、第１スクリーン１０及び第２スクリーン２０の表面からの奥行き方向（Ｚ方向）における距離が大幅に近い位置から、斜めに映像光Ｌ１，Ｌ２をそれぞれ投影できる。
したがって、従来の汎用プロジェクタに比べて、第１映像源ＬＳ１及び第２映像源ＬＳ２は、各スクリーンまでの投射距離が短く、投射された映像光Ｌ１，Ｌ２が各スクリーンに入射する入射角度が大きく、各スクリーンに入射する入射角度の変化量（最小値から最大値までの変化量）も大きい。
【００１８】
第１スクリーン１０は、第１映像源ＬＳ１が投射した映像光Ｌ１の一部を反射して表示し、かつ、映像光Ｌ１を投射しない不使用時等において、第１スクリーン１０の向こう側の景色を観察できる透明性を有する反射スクリーンである。
第１映像源ＬＳ１から投影された映像光Ｌ１の一部は、第１スクリーン１０で反射され、第２スクリーン２０を透過し、第２スクリーン２０の背面側（＋Ｚ側）の正面方向（第１スクリーン１０の映像源側（＋Ｚ側）の正面方向）に位置する観察者Ｏ１に届く。観察者Ｏ１は、第１スクリーン１０に表示される映像を、第２スクリーン２０を通して視認する。
【００１９】
第２スクリーン２０は、第２映像源ＬＳ２が投射した映像光Ｌ２の一部を反射して表示し、かつ、映像光を投射しない不使用時等において、第２スクリーン２０の向こう側の景色を観察できる透明性を有する反射スクリーンである。
第２映像源ＬＳ２から投影された映像光Ｌ２の一部は、第２スクリーン２０で反射され、第１スクリーン１０を透過し、第１スクリーン１０の背面側（−Ｚ側）の正面方向（第２スクリーン２０の映像源側（−Ｚ側）の正面方向）に位置する観察者Ｏ２に届く。観察者Ｏ２は、第２スクリーン２０に表示される映像を、第１スクリーン１０を通して視認する。
【００２０】
第１スクリーン１０及び第２スクリーン２０の画面（表示領域）は、使用状態において、映像表示装置の＋Ｚ側の観察者Ｏ１及び−Ｚ側の観察者Ｏ２から見て、いずれも矩形形状で同じ大きさであり、長辺方向が画面左右方向（Ｘ方向）となっている。また、両画面の幾何学的中心となる点は、それぞれ点Ａ１，Ａ２である。この点Ａ１と点Ａ２とは、映像表示装置１のＺ方向の中心を通りＸＹ平面に平行な面に対して対称な位置にある。
第１スクリーン１０及び第２スクリーン２０は、その画面サイズが対角４０〜１００インチ程度であり、画面の横縦比が１６：９である。なお、これに限らず、例えば、４０インチ以下の大きさとしてもよく、使用目的や使用環境等に応じて、その大きさや形状は適宜選択できるものとする。
【００２１】
一般的に、スクリーンは、樹脂製の薄い層の積層体等であり、それ単独では平面性を維持するだけの十分な剛性を有していない場合が多い。したがって、例えば、第１スクリーン１０及び第２スクリーン２０の−Ｚ側又は＋Ｚ側に不図示の接合層を介して不図示の支持板がそれぞれ一体に接合（あるいは部分固定）され、この支持板によって第１スクリーン１０及び第２スクリーン２０が画面の平面性を維持する形態としてもよい。
【００２２】
上述のような支持板としては、光透過性を有し、第１スクリーン１０及び第２スクリーン２０よりも剛性が高い平板状の部材が好ましい。支持板は、アクリル樹脂やＰＣ樹脂等の樹脂製、ガラス製等の平板状の部材を用いることができる。接合層は、光透過性の高い接着剤又は粘着剤を用いて形成されることが好ましい。
また、支持板及び接合層は、これらが接合される第１スクリーン１０及び第２スクリーン２０の表面の層との屈折率差がない、又は、可能な限り屈折率差が小さいことが好ましい。
なお、上述の例に限らず、例えば、第１スクリーン１０及び第２スクリーン２０は、不図示の枠部材等によってその四辺等が支持され、画面の平面性を維持する形態としてもよい。
【００２３】
以下、まず、第１スクリーン１０の各層について説明する。
図２は、本実施形態の第１スクリーン１０の層構成を説明する図である。図２では、第１スクリーン１０の画面中央（画面の幾何学的中心）となる点Ａ１（図１参照）を通り、画面上下方向（Ｙ方向）に平行であって、スクリーン面に垂直（厚み方向であるＺ方向に平行）な断面の一部を拡大して示している。
本実施形態の第１スクリーン１０は、厚み方向において＋Ｚ側（映像源側、観察者Ｏ１側）から順に、基材層１１、光学形状層１２、反射層１３、樹脂層１４、保護層１５を備え、これらが一体に積層されている。
【００２４】
基材層１１は、光透過性を有する層であり、−Ｚ側に光学形状層１２が一体に形成されている。基材層１１は、光学形状層１２を形成する基材（ベース）となる層である。また、基材層１１は、第１スクリーン１０の＋Ｚ側を保護する機能を有している。
基材層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等のシート状の部材を用いることができる。
また、基材層１１は、第１スクリーン１０の画面サイズ等に応じてその厚さを変更可能である。
【００２５】
図３は、本実施形態の第１スクリーン１０の光学形状層１２を説明する図である。図３では、光学形状層１２を−Ｚ側から見た図を示している。
光学形状層１２は、基材層１１の−Ｚ側に形成された光透過性を有する層である。光学形状層１２の−Ｚ側の面には、単位光学形状（単位レンズ）１２１が複数配列されて設けられている。
単位光学形状１２１は、真円の一部形状（円弧状）であり、図３に示すように、第１スクリーン１０の画面（表示領域）外に位置する点Ｃ１を中心として、同心円状に複数配列されている。即ち、光学形状層１２は、点Ｃ１を中心（フレネルセンター）とする、いわゆるオフセット構造のサーキュラーフレネルレンズ形状を有している。
この点Ｃ１は、図３に示すように、第１スクリーン１０の画面左右方向（Ｘ方向）の中央であって画面外下方（−Ｙ側）に位置しており、第１スクリーン１０を正面方向から見た場合、点Ｃ１と点Ａ１とは、Ｙ方向に平行な同一直線上に位置している。
【００２６】
単位光学形状１２１は、図２に示すように、その配列方向に平行な断面における断面形状が、略三角形形状である。
この単位光学形状１２１は、−Ｚ側に凸であり、映像光が入射する入射面である第１斜面（レンズ面）１２１ａと、これに対向する対向面である第２斜面（非レンズ面）１２１ｂとを有している。１つの単位光学形状１２１において、第２斜面１２１ｂは、頂点ｔ１を挟んで第１斜面１２１ａの下側に位置している。
第１斜面１２１ａがスクリーン面に平行な面となす角度は、θ１である。第２斜面１２１ｂがスクリーン面に平行な面となす角度は、θ２である。角度θ１，θ２は、θ２＞θ１という関係を満たしている。
この単位光学形状１２１の第１斜面１２１ａ及び第２斜面１２１ｂは、その表面に微細かつ不規則な凹凸形状を有している。
【００２７】
単位光学形状１２１の配列ピッチは、Ｐ１であり、単位光学形状１２１の高さ（厚み方向における頂点ｔ１から単位光学形状１２１間の谷底となる点ｖ１までの寸法）は、ｈ１である。
理解を容易にするために、図２では、単位光学形状１２１の配列ピッチＰ１、角度θ１，θ２は、単位光学形状１２１の配列方向において一定である例を示している。しかし、本実施形態の単位光学形状１２１は、実際には、配列ピッチＰ１が一定であるが、角度θ１が単位光学形状１２１の配列方向においてフレネルセンターとなる点Ｃ１から離れるにつれて次第に大きくなっている。
角度θ１，θ２、配列ピッチＰ１等は、第１映像源ＬＳ１からの映像光Ｌ１の投射角度（第１スクリーン１０への映像光Ｌ１の入射角度）や、第１映像源ＬＳ１の画素（ピクセル）の大きさ、第１スクリーン１０の画面サイズ、各層の屈折率等に応じて、適宜設定してよい。例えば、単位光学形状１２１の配列方向に沿って、配列ピッチＰ１等が変化する形態としてもよい。
【００２８】
光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００２９】
反射層１３は、単位光学形状１２１の−Ｚ側、即ち、第１斜面１２１ａ及び第２斜面１２１ｂの−Ｚ側に形成された層であり、入射した光の一部を反射し、入射したその他の光の少なくとも一部を透過する半透過型の反射層、いわゆるハーフミラーである。
反射層１３は、その両面が微細かつ不規則な凹凸形状を有する粗面である。反射層１３は、前述の光学形状層１２の反射層１３側の表面に形成された凹凸形状を維持した状態で成膜されている。
この微細な凹凸形状は、凸形状と凹形状とが２次元方向に不規則に配列されて形成されており、凸形状及び凹形状は、その大きさや形状、高さ等は不規則である。
反射層１３は、入射した光の一部を微細かつ不規則な凹凸形状により拡散して反射し、入射したその他の光の少なくとも一部を拡散せずに透過する。
【００３０】
反射層１３の反射率及び透過率は、所望する光学性能に合わせて適宜に設定できるが、映像光を良好に反射させるとともに、映像光以外の不要な外光（例えば、太陽光等の外界からの光）を良好に透過させる観点から、透過率が約６０〜８０％、反射率が約５〜４０％の範囲であることが望ましい。
【００３１】
反射層１３は、光反射性の高い金属、例えば、アルミニウム、銀、ニッケル等により形成された薄膜であり、その厚さは、数１０Å程度である。本実施形態の反射層１３は、アルミニウムを蒸着することにより形成されている。
なお、反射層１３は、これに限らず、例えば、光反射性の高い金属をスパッタリングしたりする等により形成してもよい。また、反射層１３は、誘電体多層膜を蒸着することにより形成してもよい。
【００３２】
樹脂層１４は、反射層１３よりも−Ｚ側（背面側）に設けられた光透過性を有する樹脂製の層である。
樹脂層１４は、単位光学形状１２１間の谷部を埋めるように形成されており、この樹脂層１４により、光学形状層１２及び反射層１３の−Ｚ側の面が平坦となっている。
樹脂層１４は、＋Ｚ側（映像源側）の面に、光学形状層１２の単位光学形状１２１の逆型となる単位光学形状が複数配列されて形成されている。
このような樹脂層１４を設けることにより、反射層１３を保護でき、第１スクリーン１０の−Ｚ側の面に保護層１５等を積層しやすくなる。また、第１スクリーン１０に支持板等を接合する場合には、支持板の接合も容易となる。
【００３３】
樹脂層１４の屈折率は、光学形状層１２の屈折率と等しい、又は、略等しい（等しいとみなせる程度に屈折率差が小さい）ことが望ましい。また、樹脂層１４は、前述の光学形状層１２と同じ紫外線硬化型樹脂を用いて形成することが好ましいが、異なる材料により形成してもよい。
本実施形態の樹脂層１４は、前述の光学形状層１２と同じ材料により形成され、その屈折率が光学形状層１２の屈折率に等しい。
【００３４】
保護層１５は、樹脂層１４の−Ｚ側に形成された光透過性を有する層である。保護層１５は、第１スクリーン１０の−Ｚ側を保護する機能を有している。
保護層１５は、光透過性の高い樹脂製のシート状の部材を用いて形成することができる。保護層１５は、例えば、前述の基材層１１と同様の材料を用いて形成されたシート状の部材を用いてもよい。
上述のように、本実施形態の第１スクリーン１０は、光を拡散する作用を有する粒子等の拡散材を含有した光拡散層を備えておらず、映像光は、反射層１３の表面の微細かつ不規則な凹凸形状により、拡散反射される。
【００３５】
次に、第２スクリーン２０の各層について説明する。
図４は、本実施形態の第２スクリーン２０の層構成を説明する図である。図４では、第２スクリーン２０の画面中央（画面の幾何学的中心）となる点Ａ２（図１参照）を通り、画面上下方向（Ｙ方向）に平行であって、スクリーン面に垂直（厚み方向であるＺ方向に平行）な断面の一部を拡大して示している。
本実施形態の第２スクリーン２０は、厚み方向において−Ｚ側（映像源側、観察者Ｏ２側）から順に、基材層２１、光学形状層２２、反射層２３、樹脂層２４、保護層２５を備え、これらが一体に積層されている。
図２及び図４に示すように、第２スクリーン２０は、第１スクリーン１０をＹ方向に平行な直線を軸としてＺ方向に反転させた形状に等しく、第１スクリーン１０及び第２スクリーン２０は、Ｚ方向において対称な形状である。したがって、第２スクリーン２０は、第１スクリーン１０と同形状のスクリーンをＺ方向において反転させて用いてもよい。
【００３６】
基材層２１は、第１スクリーン１０の基材層１１に相当する層である。基材層２１には、前述の基材層１１と同様の部材を用いることができる。
図５は、本実施形態の第２スクリーン２０の光学形状層２２を説明する図である。図５では、光学形状層２２を＋Ｚ側から見た図を示している。
光学形状層２２は、第１スクリーン１０の光学形状層１２に相当する層である。光学形状層２２は、基材層２１の＋Ｚ側に形成された光透過性を有する層であり、その＋Ｚ側の面には、単位光学形状（単位レンズ）２２１が複数配列されて設けられている。
【００３７】
単位光学形状２２１は、第１スクリーン１０の単位光学形状１２１に相当し、真円の一部形状（円弧状）であり、図５に示すように、第２スクリーン２０の画面（表示領域）外に位置する点Ｃ２を中心として、同心円状に複数配列されている。光学形状層２２は、点Ｃ２を中心（フレネルセンター）とする、オフセット構造のサーキュラーフレネルレンズ形状を有している。
この点Ｃ２は、図４に示すように、第２スクリーン２０の画面左右方向（Ｘ方向）の中央であって画面下方（−Ｙ側）に位置しており、第２スクリーン２０をＺ方向から見た場合、点Ｃ２と点Ａ２とはＹ方向に平行な同一直線上に位置している。
また、本実施形態では、点Ｃ２と点Ｃ１、点Ａ２と点Ａ１は、映像表示装置１のＺ方向の中心を通りＸＹ平面に平行な面に対して対称な位置にある。
【００３８】
単位光学形状２２１は、図４及び図５に示すように、その配列方向に平行な断面における断面形状が、略三角形形状である。
この単位光学形状２２１は、＋Ｚ側に凸であり、映像光が入射する入射面である第１斜面（レンズ面）２２１ａと、これに対向する対向面である第２斜面（非レンズ面）２２１ｂとを有している。１つの単位光学形状２２１において、第２斜面２２１ｂは、頂点ｔ２を挟んで第１斜面２２１ａの下側に位置している。
この単位光学形状２２１の第１斜面２２１ａ及び第２斜面２２１ｂは、その表面に微細かつ不規則な凹凸形状を有している。
【００３９】
第１斜面２２１ａがスクリーン面に平行な面となす角度は、θ３である。第２斜面２２１ｂがスクリーン面に平行な面となす角度は、θ４である。角度θ３，θ４は、θ４＞θ３という関係を満たしている。
単位光学形状２２１の配列ピッチは、Ｐ２であり、単位光学形状２２１の高さ（厚み方向における頂点ｔ２から単位光学形状２２１間の谷底となる点ｖ２までの寸法）は、ｈ２である。
理解を容易にするために、図４では、単位光学形状２２１の配列ピッチＰ２、角度θ３，θ４は、単位光学形状２２１の配列方向において一定である例を示している。しかし、前述の第１スクリーン１０の単位光学形状１２１と同様に、単位光学形状２２１は、実際には、配列ピッチＰ２が一定であるが、角度θ３が単位光学形状２２１の配列方向においてフレネルセンターとなる点Ｃ２から離れるにつれて次第に大きくなっている。
【００４０】
前述のように、本実施形態の単位光学形状２２１は、単位光学形状１２１を、Ｙ方向を軸としてＺ方向において反転させた形状である。したがって、本実施形態では、配列ピッチＰ１＝Ｐ２である。また、点Ｃ１からの距離ｒである位置の単位光学形状１２１の角度θ１，θ２と、点Ｃ２からの距離が同じくｒである位置の単位光学形状２２１の角度θ３，θ４とは、θ３＝θ１，θ４＝θ２である。
なお、角度θ３，θ４、配列ピッチＰ２等は、第２映像源ＬＳ２からの映像光Ｌ２の投射角度（第２スクリーン２０への映像光Ｌ２の入射角度）や、第２映像源ＬＳ２の画素（ピクセル）の大きさ、第２スクリーン２０の画面サイズ、各層の屈折率等に応じて、適宜設定してよい。例えば、単位光学形状２２１の配列方向に沿って、配列ピッチＰ２等が変化する形態としてもよい。
【００４１】
光学形状層２２は、前述の第１スクリーン１０の光学形状層１２と同様の光透過性の高い紫外線硬化型樹脂により形成することができる。また、光学形状層２２は、例えば、電子線硬化型樹脂等の他の電離放射線硬化型樹脂により形成してもよい。
本実施形態では、光学形状層２２は、第１スクリーン１０の光学形状層１２と同じ紫外線硬化型樹脂により形成されている。
【００４２】
反射層２３は、前述の第１スクリーン１０の反射層１３に相当する層である。反射層２３は、単位光学形状２２１の＋Ｚ側、即ち、第１斜面２２１ａ及び第２斜面２２１ｂの＋Ｚ側に形成されている。また、反射層２３は、入射した光の一部を反射し、入射したその他の光の少なくとも一部を透過する半透過型の反射層、いわゆるハーフミラーである。
反射層２３は、その両面が微細かつ不規則な凹凸形状を有する粗面である。この微細な凹凸形状は、凸形状と凹形状とが２次元方向に不規則に配列されて形成されており、凸形状及び凹形状は、その大きさや形状、高さ等は不規則である。この反射層２３は、前述の単位光学形状２２１の表面に形成された凹凸形状を維持した状態で成膜されている。
反射層２３は、入射した光の一部をこの凹凸形状により拡散して反射し、入射したその他の光の少なくとも一部を拡散せずに透過する。
【００４３】
本実施形態の第２スクリーン２０の反射層２３の透過率、反射率は、前述の第１スクリーン１０の反射層１３と同様である。なお、映像表示装置１の使用環境等や所望する光学性能等に応じて、第２スクリーン２０の反射層２３の透過率、反射率を、第１スクリーン１０の反射層１３とは異なるものとしてもよい。
また、反射層２３は、前述の第１スクリーン１０の反射層１３と同様の材料により形成することができる。本実施形態の反射層２３は、反射層１３と同様に、アルミニウムを蒸着することにより形成されている。
【００４４】
樹脂層２４は、第１スクリーン１０の樹脂層１４に相当する層である。樹脂層２４は、反射層２３よりも＋Ｚ側に設けられた光透過性を有する樹脂製の層であり、単位光学形状２２１による凹凸の谷部を埋めるように形成されている。この樹脂層２４により、光学形状層２２及び反射層２３の＋Ｚ側の面が平坦となっている。
樹脂層２４は、−Ｚ側の面に、光学形状層２２の単位光学形状２２１の逆型となる単位光学形状が複数配列されて形成されている。
このような樹脂層２４を設けることにより、反射層２３を保護でき、第２スクリーン２０の＋Ｚ側の面に保護層２５等を積層しやすくなる。また、第２スクリーン２０を支持板に接合する場合には、支持板への接合も容易となる。
【００４５】
樹脂層２４の屈折率は、光学形状層２２の屈折率と等しい、又は、略等しい（等しいとみなせる程度に屈折率差が小さい）ことが望ましい。また、樹脂層２４は、光学形状層２２と同じ紫外線硬化型樹脂を用いて形成することが好ましいが、異なる材料により形成してもよい。
本実施形態の樹脂層２４は、前述の光学形状層２２と同じ材料により形成され、その屈折率が光学形状層２２の屈折率に等しい。
【００４６】
保護層２５は、第１スクリーン１０の保護層１５に相当する層である。保護層２５は、樹脂層２４の＋Ｚ側に形成された光透過性を有する層であり、第２スクリーン２０の＋Ｚ側を保護する機能を有している。
保護層２５は、光透過性の高い樹脂製のシート状の部材が用いることができる。保護層２５は、例えば、前述の基材層２１と同様の材料を用いて形成されたシート状の部材を用いてもよい。
上述のように、本実施形態の第２スクリーン２０は、光を拡散する作用を有する粒子等の拡散材を含有した光拡散層を備えておらず、映像光は、反射層２３の表面の微細かつ不規則な凹凸形状により、拡散反射される。
【００４７】
第１スクリーン１０は、例えば、以下のような製造方法により製造される。
基材層１１を用意し、その一方の面に、単位光学形状１２１を賦形する成形型に紫外線硬化型樹脂を充填した状態で積層し、紫外線を照射して紫外線硬化型樹脂を硬化させるＵＶ成形法により光学形状層１２を形成する。このとき、単位光学形状１２１を賦形する成形型の第１斜面１２１ａ及び第２斜面１２１ｂを賦形する面には、微細かつ不規則な凹凸形状が形成されている。この凹凸形状は、成形型の第１斜面１２１ａ及び第２斜面１２１ｂを賦形する面に、表面加工を複数回行うことにより形成できる。この表面加工は、例えば、めっき加工や、エッチング加工、ブラスト加工等である。また、表面加工は、各種条件等を変更して複数回行ってもよい。
光学形状層１２を、基材層１１の一方の面に形成した後、第１斜面１２１ａ及び第２斜面１２１ｂに、アルミニウムを蒸着することにより反射層１３を形成する。
【００４８】
その後、反射層１３の上から、単位光学形状１２１による凹凸の谷部を充填して平面状となるように紫外線硬化型樹脂を塗布し、保護層１５を積層し、紫外線を照射して紫外線硬化型樹脂を硬化させ、樹脂層１４及び保護層１５を一体に形成する。その後、所定の大きさに裁断する等により、第１スクリーン１０が完成する。
なお、基材層１１及び保護層１５は、枚葉状としてもよいし、ウェブ状としてもよい。
また、第２スクリーン２０も、上述の第１スクリーン１０と同様の製造方法により製造可能である。
【００４９】
反射層１３，２３の表面に微細かつ不規則な凹凸形状を形成する方法として、例えば、第１斜面１２１ａ，２２１ａ、第２斜面１２１ｂ，２２１ｂ上に拡散粒子等を塗布してその上から反射層１３，２３を形成したり、第１斜面１２１ａ，２２１ａ、第２斜面１２１ｂ，２２１ｂにブラスト加工を行った後に反射層１３，２３を形成したりする方法等が従来知られている。
しかし、このような製法では、個々のスクリーンでの拡散特性や品質等のばらつきが大きく、安定した製造が行えない。これに対して、上述のように、単位光学形状１２１，２２１の第１斜面１２１ａ，２２１ａ、第２斜面１２１ｂ，２２１ｂの微細かつ不規則な凹凸形状を成形型によって賦形し、反射層１３，２３を形成することにより、多数の第１スクリーン１０，第２スクリーン２０を製造する場合にも、品質のばらつきが少なく、安定して製造できるという利点がある。
【００５０】
図６は、本実施形態の映像表示装置１での映像光及び外光の様子を示す図である。図６では、図１に示した映像表示装置１の断面における第１スクリーン１０及び第２スクリーン２０の断面を示している。また、図６では、理解を容易にするために、各スクリーン内の各層の界面における屈折率差はないものとして示している。
まず、映像光について説明する。
第１スクリーン１０の下方に位置する第１映像源ＬＳ１から投射され、第１スクリーン１０に入射する映像光Ｌ１１のうち、一部の映像光Ｌ１２は、第１スクリーン１０の表面で反射し、第１スクリーン１０の＋Ｚ側上方へ向かう。第１スクリーン１０及び第２スクリーン２０は、Ｚ方向において十分な距離を有して配置されており、映像光Ｌ１２が第２スクリーン２０に入射することはなく、この映像光Ｌ１２は、筐体３０内で吸収され、観察者Ｏ１，Ｏ２には到達しない。
【００５１】
また、映像光Ｌ１１のうち、一部の映像光Ｌ１３は、単位光学形状１２１の第１斜面１２１ａに入射し、反射層１３によって拡散反射され、＋Ｚ側へ出射する。そして、第２スクリーン２０を透過して観察者Ｏ１に届く。これにより、観察者Ｏ１は、第１スクリーン１０に表示される映像を視認可能である。
第１斜面１２１ａに入射した映像光のうち反射しなかった一部の映像光Ｌ１４は、反射層１３を透過して第１スクリーン１０から−Ｚ側上方へ出射する。このような映像光Ｌ１４は、第１スクリーン１０の−Ｚ側の正面方向に位置する観察者Ｏ２には到達しない。
【００５２】
同様に、第２スクリーン２０の下方に位置する第２映像源ＬＳ２から投射され、第２スクリーン２０に入射する映像光Ｌ２１のうち、一部の映像光Ｌ２２は、第２スクリーン２０の表面で反射し、第２スクリーン２０の−Ｚ側上方へ向かう。第１スクリーン１０及び第２スクリーン２０は、Ｚ方向において十分な距離を有して配置されており、映像光Ｌ２２が第１スクリーン１０に入射することはなく、この映像光Ｌ２２は、筐体３０内で吸収され、観察者Ｏ１，Ｏ２には到達しない。
また、映像光Ｌ２１のうち、一部の映像光Ｌ２３は、単位光学形状２２１の第１斜面２２１ａに入射し、反射層２３によって拡散反射され、−Ｚ側へ出射する。そして、第１スクリーン１０を透過して観察者Ｏ２に届く。これにより、観察者Ｏ２は、第２スクリーン２０に表示される映像を視認可能である。
第１斜面２２１ａに入射した映像光のうち反射しなかった一部の映像光Ｌ２４は、反射層２３を透過して第２スクリーン２０から＋Ｚ側上方へ出射する。このような映像光Ｌ２４は、第２スクリーン２０の＋Ｚ側の正面方向に位置する観察者Ｏ１には到達しない。
【００５３】
なお、本実施形態では、第１映像源ＬＳ１，第２映像源ＬＳ２が第１スクリーン１０，第２スクリーン２０よりも下方に位置し、映像光Ｌ１１，Ｌ２１が第１スクリーン１０，第２スクリーン２０の下方から投射され、かつ、第２斜面１２１ｂ，２２１ｂの角度θ２，θ４（図２及び図４参照）が第１スクリーン１０，第２スクリーン２０の画面上下方向の各点における映像光の入射角度よりも大きいので、映像光が第２斜面１２１ｂ，２２１ｂに直接入射することはなく、第２斜面１２１ｂ，２２１ｂは、映像光の反射にはほとんど影響しない。
【００５４】
次に、映像表示装置１の第１スクリーン１０及び第２スクリーン２０に入射する映像光以外の外光（太陽光等の外界からの光）について説明する。
図６に示すように、第１スクリーン１０へは、−Ｚ側上方から外光Ｇ１が入射する。この外光Ｇ１のうち、一部の外光Ｇ２は、第１スクリーン１０の表面等で反射し、第１スクリーン１０の下方側へ向かう。
外光Ｇ１のうち、第１スクリーン１０内に入射した一部の外光Ｇ３は、反射層１３で反射し、第１スクリーン１０の−Ｚ側上方へ出射する。
また、反射層２３で反射しなかった一部の外光Ｇ４は、反射層１３を透過して第１スクリーン１０の＋Ｚ側下方へ出射して筐体３０内で吸収されたり、第１スクリーン１０の＋Ｚ側の面で反射して第１スクリーン１０内を下方へ進み、減衰したりする。
従って、第１スクリーン１０に−Ｚ側上方から入射する外光は、観察者Ｏ１，Ｏ２には届かない。
【００５５】
また、図６に示すように、第２スクリーン２０へは、＋Ｚ側上方から外光Ｇ５が入射する。この外光Ｇ５のうち、一部の外光Ｇ６は、第２スクリーン２０の表面等で反射し、第２スクリーン２０の下方側へ向かう。
外光Ｇ５のうち、第１スクリーン１０内に入射した一部の外光Ｇ７は、反射層２３で反射し、第２スクリーン２０の＋Ｚ側上方へ出射する。
また、反射層２３で反射しなかった一部の外光Ｇ８は、反射層２３を透過して第２スクリーン２０の−Ｚ側下方へ出射して筐体３０内で吸収されたり、第２スクリーン２０の−Ｚ側の面で反射して第２スクリーン２０内を下方へ進み、減衰したりする。
従って、第２スクリーン２０に＋Ｚ側上方から入射する外光は、観察者Ｏ１，Ｏ２には届かない。
【００５６】
本実施形態では、筐体３０によって第１スクリーン１０及び第２スクリーン２０間の上方は遮蔽されているので、第１スクリーン１０に＋Ｚ側上方から入射する外光や、第２スクリーン２０に−Ｚ側上方から入射する外光はない。
以上のことから、映像表示装置１では、外光による映像のコントラストの低下を大幅に抑制できる。
【００５７】
また、第１スクリーン１０及び第２スクリーン２０への入射角度の小さい他の外光Ｇ９，Ｇ１０は、第１スクリーン１０及び第２スクリーン２０を透過するが、第１スクリーン１０及び第２スクリーン２０は、光を拡散する作用を有する拡散粒子を含有する光拡散層等を備えていないので、拡散されない。したがって、第１スクリーン１０及び第２スクリーン２０を通して、映像表示装置１の向こう側の景色を観察した場合に、その景色がぼやけたり、白くにじんだりすることなく、高い透明性を有して観察することができる。
【００５８】
従来の拡散粒子を含有する拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察され、透明性が低下する。
【００５９】
しかし、本実施形態では、第１スクリーン１０及び第２スクリーン２０は、反射層１３，２３の表面に微細かつ不規則な凹凸形状により、反射層１３，２３で反射する光のみが拡散され、透過光は拡散されない。
したがって、本実施形態の映像表示装置１は、第１スクリーン１０及び第２スクリーン２０が良好な視野角及び解像度を有する映像を表示でき、かつ、高い透明性を有し、スクリーンの向こう側の景色が白くにじんだり、ぼけたりすることがなく観察者Ｏ１，Ｏ２に良好に視認される。
なお、本実施形態の映像表示装置１は、第１スクリーン１０及び第２スクリーン２０の双方に映像光を投射して両スクリーンが同時に映像を表示することも可能であるし、一方のスクリーンに映像を表示し、他方のスクリーンには映像を投射しないといった使用方法も可能である。両スクリーンに表示する映像は、同じでもよいし、異なってもよい。
本実施形態の映像表示装置１は、両スクリーンに映像を表示した場合にも、スクリーンの背面側からはそのスクリーンに表示される映像は視認されず、スクリーン越しに対面する他方のスクリーンに表示される映像を視認できる。
【００６０】
また、本実施形態の映像表示装置１では、観察者Ｏ１，Ｏ２は、第１スクリーン１０及び第２スクリーン２０に映像光が投射されていない時には、第１スクリーン１０及び第２スクリーン２０が透明性を有し、２枚のスクリーンを通して映像表示装置１の向こう側の景色を良好に視認することができる。
なお、本実施形態の映像表示装置１では、各スクリーンに映像光が投射された状態においても、観察者Ｏ１，Ｏ２が、２枚のスクリーンの向こう側の景色を一部視認することが可能である。
以上のことから、本実施形態によれば、透明性が高いスクリーンを対向する２つの面に備え、対向する２つの画面に映像を表示できる映像表示装置１を提供できる。
【００６１】
（変形形態）
以上説明した実施形態に限定されることなく、種々の変形や変更が可能であって、それらも本発明の範囲内である。
（１）第１スクリーン１０と第２スクリーン２０とは、Ｙ方向を軸としてＺ方向において対称な形状である例を示したが、これに限らず、非対称であってもよい。
また、第１スクリーン１０と第２スクリーン２０とは、対応する各層が異なる材料により形成されていてもよい。
【００６２】
（２）第１スクリーン１０，第２スクリーン２０の映像源側の面（基材層１１，２１の表面）及び背面側の面（保護層１５，２５の表面）に、反射防止層を設けて、各スクリーンに入射する映像光の入射光量の増大を図ったり、反射層で反射後に透過するスクリーンに入射する際や出射する際の空気界面での反射光量の低減を図ってもよい。このような反射防止層を設けることにより、映像をより明瞭に表示することができる。
なお、実施形態の映像表示装置１では、上述のように、一方のスクリーンを通して他方のスクリーンの表示する映像を観察する形態となっている。第１スクリーン１０及び第２スクリーン２０は、その両面に不図示の反射防止層を備えていることが明瞭な映像を表示する観点から好ましい。
【００６３】
また、第１スクリーン１０，第２スクリーン２０の背面側の面（保護層１５，２５の表面）に、傷つき防止を目的としたハードコート層を設けてもよい。ハードコート層は、ハードコート機能を有する紫外線硬化型樹脂（例えば、ウレタンアクリレート等）を塗布して形成する等により形成可能である。また、ハードコート層に限らず、第１スクリーン１０，第２スクリーン２０の使用環境や使用目的等に応じて、例えば、反射防止層、紫外線吸収層、防汚層、帯電防止層、タッチパネル層等、適宜必要な機能を有する層を１つ又は複数選択して設けてもよい。
さらに、各スクリーンの厚み方向において背面側（筐体３０の外部側）に支持板が接合される場合には、その支持板の表面（筐体３０外部側の表面）にハードコート層、紫外線吸収層、防汚層、帯電防止層、タッチパネル層等を設けてもよい。
【００６４】
（３）第１映像源ＬＳ１，第２映像源ＬＳ２は、各スクリーンの画面左右方向の中央であって画面外の下方に位置する例を挙げて説明したが、これに限らず、例えば、各スクリーンの斜め下側等に配置され、第１スクリーン１０，第２スクリーン２０に対して画面左右方向において斜め方向から映像光を投射する形態としてもよい。
このとき、光学形状層１２，２２のサーキュラーフレネルレンズ形状のフレネルセンターとなる点Ｃ１，Ｃ２の位置を第１映像源ＬＳ１，第２映像源ＬＳ２の位置に合わせてずらした形態となっている。
このような形態とすることにより、第１映像源ＬＳ１，第２映像源ＬＳ２の位置等を自由に設定することができ、使用環境に応じた映像表示装置１の設計が可能であり、また、映像表示装置１の意匠性の向上等を図ることができる。
【００６５】
（４）映像表示装置１は、第１スクリーン１０及び第２スクリーン２０をＹ方向において反転させた形状とし、第１映像源ＬＳ１，第２映像源ＬＳ２を各スクリーンの上方に配置し、スクリーン上方から映像光を投射する形態としてもよい。
また、映像表示装置１は、筐体内の大きさ等に応じて、一方の投射系が映像光をスクリーンの上方から投射し、他方の投射系が映像光をスクリーンの下方から投射する形態としてもよい。
【００６６】
（５）単位光学形状１２１，２２１の第１斜面１２１ａ，２２１ａ及び第２斜面１２１ｂ，２２１ｂは、平面により形成される例を示したが、これに限らず、例えば、曲面と平面とが組み合わされた形態としてもよいし、折れ面状としてもよい。
また、単位光学形状１２１，２２１は、３つ以上の複数の面によって形成される多角形形状としてもよい。
また、反射層１３，２３は、例えば、第１斜面１２１ａ，２２１ａの少なくとも一部に形成される形態としてもよい。
また、第１斜面１２１ａ，２２１ａ及び第２斜面１２１ｂ，２２１ｂは、微細な凹凸形状が形成された粗面である例を示したが、これに限らず、第１斜面１２１ａ，２２１ａのみ粗面である形態としてもよい。
【００６７】
（６）光学形状層１２，２２は、単位光学形状１２１，２２１が画面左右方向（Ｘ方向）を長手方向とし、画面上下方向（Ｙ方向）に複数配列された、いわゆる、リニアフレネルレンズ形状を有する形態としてもよい。
【００６８】
（７）第１スクリーン１０，第２スクリーン２０は、光学形状層１２，２２及び樹脂層１４，２４が十分な厚みや剛性等を有している場合には、基材層１１，２１及び保護層１５，２５を備えない形態としてもよいし、どちらか一方を備えない形態としてもよい。
また、第１スクリーン１０，第２スクリーン２０は、基材層１１，２１及び保護層１５，２５の少なくとも一方を、透光性が高く、かつ、他の層よりも剛性も高い板状の部材（ガラス板等）とし、第１スクリーン１０、第２スクリーン２０の画面の平面性向上等を図ってもよい。このとき、粘着剤層等を介して光学形状層１２，２２等がガラス板等に接合される形態としてもよい。
【００６９】
（８）第１映像源ＬＳ１，第２映像源ＬＳ２は、例えば、Ｐ波の偏光成分を有する映像光を投射するものとしてもよい。
このとき、第１映像源ＬＳ１，第２映像源ＬＳ２は、映像光が入射角φで第１スクリーン１０，第２スクリーン２０へ投射されるように位置及び角度が設定されている。この入射角φは、各スクリーンへ投射された映像光（Ｐ波）の反射率がゼロとなる入射角（ブリュースター角）をφｂ（°）とした場合、（φｂ−１０）°以上８５°以下の範囲に設定される。例えば、各スクリーンへ投射された映像光の反射率がゼロとなる入射角φｂが６０°である場合、映像光の入射角φは、５０〜８５°の範囲に設定される。
【００７０】
このように、Ｐ波の偏光成分を有する映像光を投射する第１映像源ＬＳ１，第２映像源ＬＳ２を用いることにより、各スクリーンへの入射角φが大きい場合にも、第１スクリーン１０，第２スクリーン２０の表面における鏡面反射を抑制することができ、第１映像源ＬＳ１，第２映像源ＬＳ２の設置位置等、投射系の設計の自由度を上げることができる。また、このような第１映像源ＬＳ１，第２映像源ＬＳ２を用いることにより、各スクリーン表面での映像光の反射を低減でき、映像の明るさ、鮮明さの向上を図ることができる。
なお、角度φｂ（ブリュースター角）は、映像光が投射される各スクリーンの表面の材質により異なる。
また、このような形態の場合、基材層１１，２１としては、ＴＡＣ製のシート状の部材が好適である。
【００７１】
（９）筐体３０は、第１スクリーン１０及び第２スクリーン２０へ上方から入射する外光がない、又は、その影響を考慮しないくてよいほど少ない環境に配置される場合等には、筐体３０の上部が開口となっている形態としてもよい。
【００７２】
（１０）映像表示装置１は、例えば、店舗等のショーウィンドウに適用し、店舗内に映像源を配置し、対向する２面の窓ガラスに第１スクリーン１０及び第２スクリーン２０を配置し、店舗の内外で映像が表示される形態としてもよい。
【００７３】
なお、本実施形態及び変形形態は、適宜組み合わせて用いることもできるが、詳細な説明は省略する。また、本発明は以上説明した実施形態等によって限定されることはない。
【符号の説明】
【００７４】
１    映像表示装置
１０    第１スクリーン
２０    第２スクリーン
１１，２１    基材層
１２，２２    光学形状層
１２１，２２１    単位光学形状
１２１ａ，２２１ａ    第１斜面
１２１ｂ，２２１ｂ    第２斜面
１３，２３    反射層
１４，２４    樹脂層
１５，２５    保護層
ＬＳ１    第１映像源
ＬＳ２    第２映像源
３０    筐体
【図１】
2018077323.tif 000003
【図２】
2018077323.tif 000004
【図３】
2018077323.tif 000005
【図４】
2018077323.tif 000006
【図５】
2018077323.tif 000007
【図６】
2018077323.tif 000008